(57)【要約】【課題】室温センサで検出された室内温度とメモリに記憶された設定温度とを比較し、圧縮機の運転を制御しているため、予めメモリに設定温度が暖房時は高めに、冷房時には低めに設定されれば、省エネ運転にならなかった。【解決手段】遠隔制御装置１内に設けられた上限温度設定手段２を使用し、リモコン９の温度設定範囲の上限値を設定し、ビル管理者が遠隔制御装置１から暖房時に設定温度を高めに設定できないように設定できるので、暖房運転時の省エネ運転をすることができる空気調和機の遠隔制御装置を提供することができる。【選択図】図１
2009198128.tif 000002
【特許請求の範囲】
【請求項１】
複数台の室内機及び１台以上の室外機を遠隔で制御する遠隔制御装置と、前記遠隔制御装置から室内機のリモコンの温度設定範囲の上限値を設定する上限温度設定手段と、前記上限温度設定手段の入力があったときに、上限温度値を記憶して前記室内機と室外機を制御し通信信号を送受信する制御手段と、前記遠隔制御装置と室内機と室外機とを接続する通信線とを備え、遠隔制御装置の上限温度設定手段で設定温度の上限値が設定されると、リモコンから室内機を介して設定温度の上限値以上のデータを受信した時、設定された上限温度値を室内機に送信し、設定された上限温度値以上にならないようにすることを特徴とする空気調和機の遠隔制御装置。
【請求項２】
リモコンの温度設定範囲の下限値を設定する下限温度設定手段を備えたことを特徴とする請求項１に記載の空気調和機の遠隔制御装置。
【請求項３】
設定した温度設定範囲の上限値と下限値を表示する表示手段を備えたことを特徴とする請求項２に記載の空気調和機の遠隔制御装置。
【発明の詳細な説明】
【技術分野】
【０００１】
本発明は、空気調和機の温度設定範囲を設定する遠隔制御装置（集中制御装置）に関する。
【背景技術】
【０００２】
従来、空気調和機の設定温度を切換えて運転する機能を有する空気調和機には、本体操作部またはリモコン等の設定入力手段により、室内の設定温度、冷房運転または暖房運転とその運転モード、室内側送風機の風量モード、タイマモード等の設定入力条件が入力されメモリに記憶され、室温センサにより検出された室内温度とメモリに記憶された設定温度とを比較手段により比較し、運転を制御していた（例えば、特許文献１参照）。
【０００３】
図４は、特許文献１に記載された従来の設置状態を示すものである。図４に示すように、制御部マイコン１０１、設定入力手段１０２、室温センサ１０３、セーブ運転スイッチ１０４、圧縮機１０５、メモリ１０６、比較手段１０７、運転条件設定手段１０８とから構成されている。
【特許文献１】特開平６−２９４５３５号公報
【発明の開示】
【発明が解決しようとする課題】
【０００４】
しかしながら、前記従来の構成では、セーブ運転スイッチをセットすることにより室温センサで検出された室内温度とメモリに記憶された設定温度とを比較し、圧縮機の運転を制御しているため、予めメモリに設定温度が暖房時は高めに、冷房時には低めに設定されれば、省エネ運転にならないという課題を有していた。
【０００５】
本発明は、前記従来の課題を解決するもので、複数の室内機と室外機のシステムで遠隔から制御する場合、遠隔から空気調和機を管理するビル管理者が、暖房時には設定温度を高めに設定できないようにし暖房の省エネ運転をし、冷房時には設定温度を低めに設定できないようにし冷房の省エネ運転をする、空気調和機の遠隔制御装置を提供することを目的とする。
【課題を解決するための手段】
【０００６】
前記従来の課題を解決するために、本発明の空気調和機の遠隔制御装置は、遠隔制御装置内に設けられた上限温度設定手段を使用し、リモコンの温度設定範囲の上限値を設定することができる。
【０００７】
これによって、遠隔制御を行うビル管理者が暖房の省エネ運転をすることができ、ビル全体の消費電力を無くすことができる。
【発明の効果】
【０００８】
本発明の空気調和機の遠隔制御装置は、複数の室内機と室外機のシステムで遠隔から制御する場合、遠隔から空気調和機を管理するビル管理者が、遠隔制御装置からリモコンの温度設定範囲の上限値、下限値を設定できるので、省エネ運転をすることができ、ビル全体の消費電力を無くすことができる。
【発明を実施するための最良の形態】
【０００９】
第１の発明は、複数台の室内機及び１台以上の室外機を遠隔で制御する遠隔制御装置と、遠隔制御装置から空気調和機のリモコンの温度設定範囲の上限値を設定する上限温度設
定手段と、上限温度設定手段の入力があったときに、上限温度値を記憶し、複数の室内機と室外機を制御し、通信信号を送受信する制御手段と、遠隔制御装置と室内機と室外機とを接続する通信線とから構成される空気調和機の遠隔制御装置とすることにより、遠隔から空気調和機を管理するビル管理者が、遠隔制御装置から暖房時に設定温度を高めに設定できないように設定できるので、暖房運転時の省エネ運転をすることを特徴とする空気調和機の遠隔制御装置。
【００１０】
第２の発明は、特に第１の発明の遠隔制御装置に、リモコンの温度設定範囲の下限値を設定する下限温度設定手段を備えたことにより、冷房運転時も省エネ運転をすることができる。
【００１１】
第３の発明は、特に第２の発明の遠隔制御装置に、設定した温度設定範囲の上限値と下限値を表示する表示手段を備えたことにより、温度設定の上限値または下限値の状態を容易に把握することができる。
【００１２】
（実施の形態１）
図１は、本発明の実施の形態１における空気調和機の構成ブロック図である。同図の空気調和機の遠隔制御装置のシステムにおいて、複数台の室内機及び１台以上の室外機を遠隔で制御する遠隔制御装置と、遠隔制御装置から空気調和機のリモコンの温度設定範囲の上限値を設定する上限温度設定手段と、上限温度設定手段の入力があったときに、上限温度値を記憶し、複数の室内機と室外機を制御し、通信信号を送受信する制御手段と、遠隔制御装置と室内機と室外機とを接続する通信線とから構成されている。
【００１３】
尚、本実施の形態では室外機が１台の場合で説明するが、室外機が複数台の場合でも同様である。
【００１４】
以上のように構成された空気調和機の遠隔制御装置ついて、以下その動作、作用を説明する。
【００１５】
まず、遠隔制御装置１内に搭載された上限温度設定手段２により設定温度の上限値を設定し、制御部３に記憶されると、リモコン９から室内機８ａ、室内機８ｂの制御部４に通信線５を介して、設定温度の上限値以上のデータが、遠隔制御装置１内に搭載された制御部３に送信され、制御部３が上限値以上のデータを受信すると、設定された上限値の温度データをリモコンに送信する。
【００１６】
以上のように、遠隔制御装置１内に搭載された上限温度設定手段２により設定温度の上限値を設定することで、ビル管理者が遠隔制御装置から暖房時に設定温度を高めに設定できないように設定できるので、暖房運転時の省エネ運転をすることができるものである。
【００１７】
（実施の形態２）
図２は、本発明の第２の実施の形態の空気調和機の構成ブロック図である。本発明の第１の実施の形態で示した空気調和機の遠隔制御装置１に下限温度設定手段１０を構成した空気調和機の遠隔制御装置である。
【００１８】
以上のように構成された空気調和機の遠隔制御装置について、以下その動作、作用を説明する。
【００１９】
まず、遠隔制御装置１内に搭載された下限温度設定手段１０により設定温度の下限値を設定し、制御部３に記憶されると、リモコン９から室内機８ａ、室内機８ｂの制御部４に通信線５を介して、設定温度の下限値以下のデータが、遠隔制御装置１内に搭載された制
御部３に送信され、制御部３が下限値以下のデータを受信すると、設定された下限値の温度データをリモコンに送信する。
【００２０】
以上のように、遠隔制御装置１内に搭載された下限温度設定手段１０により設定温度の下限値を設定することで、ビル管理者が遠隔制御装置から冷房時に設定温度を低めに設定できないように設定できるので、冷房運転時にも省エネ運転をすることができ、ビル全体の電力を削減できるものである。
【００２１】
（実施の形態３）
図３は、本発明の第３の実施の形態の空気調和機の構成ブロック図である。本発明の第２の実施の形態で示した空気調和機の遠隔制御装置１に表示手段１１を構成した空気調和機の遠隔制御装置である。
【００２２】
以上のように構成された空気調和機の遠隔制御装置について、以下その動作、作用を説明する。
【００２３】
まず、遠隔制御装置１内に搭載された上限温度設定手段２か下限温度設定手段１０により設定温度の上限値または下限値を設定し、制御部３に記憶されると、表示手段１１により、設定された状態を表示することができる。
【００２４】
以上のように表示手段１１を備えたことにより、遠隔から空気調和機を管理するビル管理者が温度設定の上限値または、下限値の状態を把握することができるものである。
【産業上の利用可能性】
【００２５】
以上のように、本発明は、複数の室内機と室外機のシステムで遠隔から制御する場合、遠隔から空気調和機を管理するビル管理者が遠隔制御装置から、温度設定の上限値や下限値を管理することができるので、遠隔制御機器を用いたマルチ型エアコンのシステムに適する。
【図面の簡単な説明】
【００２６】
【図１】本発明の実施の形態１における空気調和機の構成ブロック図
【図２】本発明の実施の形態２における空気調和機の構成ブロック図
【図３】本発明の実施の形態３における空気調和機の構成ブロック図
【図４】従来の空気調和機におけるブロック図
【符号の説明】
【００２７】
１  遠隔制御装置
２  上限温度設定手段
３  制御部
４  制御部
５  通信線
６  パワーリレー
７  室外機
８  室内機ａ
８  室内機ｂ
９  リモコン
１０  下限温度設定手段
１１  表示手段
１０１  制御部マイコン
１０２  設定入力手段
１０３  室温センサ
１０４  セーブ運転スイッチ
１０５  圧縮機
１０６  メモリ
１０７  比較手段
１０８  運転条件設定手段
【図１】
2009198128.tif 000003
【図２】
2009198128.tif 000004
【図３】
2009198128.tif 000005
【図４】
2009198128.tif 000006